(57)【特許請求の範囲】
【請求項１】
覆工板の下面に可撓シートを貼り付け、該可撓シートは下方に突出する多数の支持脚を備え、該支持脚を空気溜まりを有する中空構造にし、該中空構造の支持脚を介して下地面に置き敷きし該支持脚の上記空気溜まりにて同支持脚に加わる荷重を緩衝する構成とした覆工材であって、上記支持脚は上記可撓シートに一体に連設される上端部のみを開口し同下端部を水平な底壁で完全に閉塞する構成を有し、上記空気溜まりは上記支持脚の上端部の開口に硬化前の上記覆工板の一部を流入して硬化し同開口を完全に密閉して画成した構成を有することを特徴とする覆工材。
【請求項２】
上記支持脚は上端部に向かって拡径し該拡径した上端部で上記可撓シートに連設したことを特徴とする請求項１記載の覆工材。
【請求項３】
上記可撓シートは上方に突出する多数のアンカーを備え、該多数のアンカーを上記覆工板中に埋入して該覆工板に上記可撓シートを貼り付けたことを特徴とする請求項１又は請求項２のいずれかに記載の覆工材。
【発明の詳細な説明】
【技術分野】
【０００１】
本発明は、ベランダ、バルコニー、陸屋根、土間等の屋内床、テラス等の屋外床、公園等の歩道、道路、法面等の下地面を覆う覆工材に関する。
【背景技術】
【０００２】
例えばベランダやバルコニー等においては防水層を施した下地面に多数枚の覆工材を置き敷きし、該覆工材で上記防水層の保護を図りつつ歩行用床面を構築している。
【０００３】
上記覆工材は、下記の特許文献１・２に示すように、方形平板状を呈する合成樹脂製の座板と、該座板の上面で成形硬化され同上面に層着される表面材（覆工板）とを有し、該座板の上面に表面材中に埋入される多数のアンカーを突設し、同座板の下面に該座板を支持する多数の支持脚を突設し、該各支持脚を介してベランダやバルコニー等の下地面に置き敷きし、上記座板と同下地面間に連続した空隙を画成する構造となっている。
【０００４】
そして下記特許文献１の覆工材においては支持脚を中実の円柱形状となし、又下記特許文献２の覆工材においては支持脚を両端部で開口せる円筒形状となして該円筒形内部に表面材の成形硬化材（セメントモルタル）を充填して中実構造にし、いずれも中実構造の支持脚を介してベランダやバルコニー等の下地面に置き敷きする構造となっている。
【先行技術文献】
【特許文献】
【０００５】
【特許文献１】特許第３７４６０５１号公報
【特許文献２】特許第４５７９９６１号公報
【発明の概要】
【発明が解決しようとする課題】
【０００６】
しかし、上記特許文献１・２にあっては、いずれも支持脚を中実構造となしているので、必要な支持脚強度は得られるが十分な緩衝効果は期待できなかった。
【課題を解決するための手段】
【０００７】
本発明は、斯かる従来の覆工材が抱える課題を有効に解決するために開発されたもので、覆工板の下面に可撓シートを貼り付け、該可撓シートは下方に突出する多数の支持脚を備え、該支持脚を空気溜まりを有する中空構造にし、該中空構造の支持脚を介して下地面に置き敷きし該支持脚の上記空気溜まりにて同支持脚に加わる荷重を緩衝する構成とした覆工材であって、上記支持脚は上記可撓シートに一体に連設される上端部のみを開口し同下端部を水平な底壁で完全に閉塞する構成を有し、上記空気溜まりは上記支持脚の上端部の開口に硬化前の上記覆工板の一部を流入して硬化し同開口を完全に密閉して画成した構成を有することを特徴とする。
【０００９】
又、上記支持脚は上端部に向かって拡径し該拡径した上端部で上記可撓シートに連設する。
【００１０】
又、上記可撓シートは上方に突出する多数のアンカーを備え、該多数のアンカーを上記覆工板中に埋入して該覆工板に上記可撓シートを貼り付ける。
【発明の効果】
【００１１】
依って、本発明にあっては、支持脚は空気溜まりを有する中空構造を呈し、内部に空気溜まりを画成できるので、覆工板上を歩行する場合には、該覆工板自体の重量や踏み圧などの歩行荷重を該空気溜まりの吸収作用で効率良く分散して、十分な緩衝効果を提供できると共に覆工材自体の必要な強度も保障できる。
【図面の簡単な説明】
【００１２】
【図１】適当な大きさに切断した可撓シートと覆工板を示す分解斜視図である。
【図２】可撓シートの平面図である。
【図３】可撓シートの図１におけるＡ−Ａ線断面図である。
【図４】覆工板の図１におけるＢ−Ｂ線断面図である。
【図５】（Ａ）はアンカーを示す要部拡大断面図、（Ｂ）は支持脚を示す要部拡大断面図である。
【図６】（Ａ）・（Ｂ）は硬化前覆工板中にアンカーを埋入する工程を説明する断面図である。
【図７】（Ａ）は支持脚の上端開口内に硬化前覆工板の一部が入り込んで空気溜まりを画成した状態を示す要部拡大断面図、（Ｂ）は別のシート材の層着で空気溜まりを画成した状態を示す要部拡大断面図である。
【図８】アンカーの内部に硬化前覆工板の一部が入り込んだ状態を示す要部拡大断面図である。
【図９】覆工材同士を連結した状態を示す平面図である。
【図１０】覆工材同士を連結した状態を示す底面図である。
【図１１】覆工材を連結しながらベランダやバルコニー等の下地面に多数枚置き敷きした状態を示す断面図ある。
【図１２】可撓シートの他例を示す底面図である。
【図１３】（Ａ）は図１２のＣ−Ｃ線断面図、（Ｂ）は図１２のＤ−Ｄ線断面図である。
【発明を実施するための最良の形態】
【００１３】
本発明は、覆工板の下面に可撓シートを貼り付け、該可撓シートは下方に突出する多数の支持脚を備え、該支持脚を空気溜まりを有する中空構造にし、該中空構造の支持脚を介して下地面に置き敷きし該支持脚の上記空気溜まりにて同支持脚に加わる荷重を緩衝することにより、歩行時の緩衝効果と覆工材自体の強度を得ようとするものである。
【実施例】
【００１４】
以下、本発明の好適な実施例を図１乃至図１１に基づいて詳述する。
【００１５】
本実施例に係る覆工材１は、図１に示すように、方形状を呈する合成樹脂製の可撓シート２と、該可撓シート２の上面において成形硬化され同上面に層着される覆工板３とから成り、建物のベランダやバルコニー等の下地面（床下地面）に多数枚置き敷きして所定面積の歩行用床面を構築するものである。
【００１６】
前者の可撓シート２は、ポリプロピレンなどの熱可塑性樹脂によるインジェクション成形又は真空成形で一体に成形されて、図２・図３にも示すように、その上面に上記覆工板３中に埋入される多数のアンカー４を突設し、同下面に該可撓シート２を支持する多数の支持脚５を突設して、上記各アンカー４を硬化前の覆工板３中に埋入することにより、同覆工板３と可撓シート２との強固な結合を図り、且つ、上記各支持脚５で可撓シート２の下面を支持することにより、該可撓シート２と下地面１０間に連続した排水用の空隙１１を画成する構成となっている（図１１参照）。
【００１７】
そして、上方に突出するアンカー４は、図５Ａに示すように、覆工板３中に押し込まれる上端部と可撓シート２から一体に立ち上がる下端部を開放して、上端開口４ａと下端開口４ｂを有する円筒形状に成形されて、その上端開口４ａの内周面にアンカー効果を発揮する環状のフランジ部４ｃを形成する構成となっている。
【００１８】
下方に突出する支持脚５は、図５Ｂに示すように、可撓シート２に一体に連設される上端部のみを開口５ａし、上記下地面に接する下端部を水平な底壁５ｂで完全に閉塞した中空構造に成形されて、その上端開口５ａを上記覆工板３で密閉することにより、内部に空気溜まり６を画成するもので、後述する覆工板３の各小ブロック３ａ群の区画内域に対応して可撓シート２の下面に配列され、その筒壁５ｃを上端部に向かって若干拡径するテーパー筒となし、その底壁５ｂの周縁５ｄを円弧状となしている。
【００１９】
後者の覆工板３は、セメントと各種骨材を混練したセメント混練材などを用いて成形されて、図４にも示すように、その上面側に縦横に交差する目地溝７を介して方形状を呈する複数の小ブロック３ａ群を区画し、上記可撓シート２の上面側に層着されるものである。
【００２０】
次に、この覆工材１の成形方法を説明すると、図６に示すように、硬化前の覆工板３（硬化前のセメント混練材）を覆工材成形型８内に充填すると共に、該覆工材成形型８の開放面（覆工板３の下面に相当する開放面）において上記可撓シート２の各アンカー４を硬化前の覆工板３中に押し込みながら、同可撓シート２の上面を硬化前覆工板３の下面に密着して、可撓シート２と該可撓シート２の上面において成形硬化され層着された覆工板３から成る覆工材１を得る。同覆工材１の脱型前又は脱型後に自然乾燥又は熱風乾燥して上記の硬化を促す。尚、本実施例に係る覆工材１の大きさは、一応、５００ｍｍ（縦）×５００ｍｍ（横）×１５ｍｍ（高さ）であるが、これに拘束されるものではない。
【００２１】
上記覆工材成形型８には、凹型（開放型）から成るゴム型又は合成樹脂フィルム型などを用いて、その底壁８ａから縦横に交差して内方に向け立ち上がる目地溝成形用壁９を設け、該縦横に交差する目地溝成形用壁９で、上記覆工板３の上面側に複数の小ブロック３ａ群を区画する。
【００２２】
この覆工板３の各小ブロック３ａ群に対しては、その区画内域に対応して上記中空構造の支持脚５が配列されることとなるが、可撓シート２の上面を硬化前覆工板３の下面に密着させる過程では、図７Ａに示すように、可撓シート２側で開放された支持脚５の上端開口５ａ内に硬化前の覆工板３の一部３´が若干ではあるが流入して硬化し、支持脚５の内部に完全に密封された空気溜まり６を画成する。
【００２３】
又、アンカー４が硬化前の覆工板３中に押し込まれる過程では、同アンカー４の上端開口４ａから下端開口４ｂに向かって硬化前の覆工板３が流入して硬化し、覆工板３と可撓シート２との強固な結合が図られることとなるが、図８に示すように、アンカー４の上端開口４ａの内周面に形成されたフランジ部４ｃの作用に加えて、アンカー４の可撓シート２側で開放された下端開口４ｂ内にも硬化前の覆工板３が流入して硬化するので、覆工板３と可撓シート２との強固な結合は更に強化される。
【００２４】
従って、図９乃至図１１に示すように、上記方形状の覆工材１を多数の支持脚５を介してベランダやバルコニー等の下地面１０に縦横に連続して多数枚敷き詰めれば、当該下地面１０に所定面積の歩行用床面が構築されると同時に、全覆工材１の可撓シート２の下面と下地面１０間に連続した排水用の空隙１１が画成される。尚、覆工材１を下地面１０に敷き詰める場合には、各支持脚５の底壁５ｂの周縁５ｄが円弧状となっているので、該支持脚５の周縁５ｄで同下地面１０を傷つける恐れは少ない。この為、従来のように、支持脚５の下端部と下地面１０間に保護シートや下地シートなどを別に敷く必要もなくなる。
【００２５】
又、この連続して置き敷きされた覆工材１上を歩行する場合には、既述したように、各支持脚５は内部に空気溜まり６を画成しているので、覆工板３の小ブロック３ａ毎で、覆工板３自体の重量や踏み圧などの歩行荷重、換言すれば、支持脚５に加わる全荷重を当該空気溜まり６の吸収作用で効率良く分散して、十分な緩衝効果を提供できると共に、底壁５ｂの存在で覆工材１自体の必要な強度も確保できる。
【００２６】
これに加えて、支持脚５の筒壁５ｃは上端部に向かって拡径し該上端部で可撓シート２と連設するテーパー筒となっているので、各覆工板３を安定して支持することが可能となる。
【００２７】
尚、上記の実施例では、覆工板３と可撓シート２とを覆工材成形型８を用いて一体に成形したものであるが、本発明はこれに限定されるものではなく、覆工板３と可撓シート２とを別体に成形して、該覆工板３の下面に可撓シート２を接着剤を介して貼り付けても、十分な緩衝効果が得られる。又、実施例では、硬化前覆工板３の一部３´を利用して、空気溜まり６を画成したものであるが、例えば、図７Ｂに示すように、別のシート材１２を可撓シート２の上面に層着して、該別のシート材１２で支持脚５の上端開口５ａを密閉しても、完全に密封された空気溜まり６を画成できる。
【００２８】
具体的には図示しないが、各覆工材１を連結手段を介して四辺において隣接する覆工材１と互いに連結すれば、その移動・ズレや飛散などを有効に防止できる。又、既述したように、本実施例の覆工材１の大きさは、５００ｍｍ（縦）×５００ｍｍ（横）×１５ｍｍ（高さ）であるから、覆工材１自体の軽量化が大いに図れ、施工工程の簡素化とコストパフォーマンスの向上が期待できる。
【００２９】
図１２・図１３は、覆工板３の下面に貼り付けられる可撓シート２の他例を示したもので、当該可撓シート２も上面に覆工板３中に埋入される多数のアンカー４を突設し、同下面に可撓シート２を支持する多数の支持脚５を突設したものであるが、上記実施例と異なるところは、可撓シート２の空白面に対して、上記縦横に交差する目地溝７の底部に沿って一定間隔をおいて連続する長方形状の第一貫通孔１３と、該縦横の第一貫通孔１３の交差部に存する円形状の第二貫通孔１４と、各アンカー４の周囲を囲むように存する円形状の第三貫通孔１５を開設した点にある。
【００３０】
この為、上記目地溝７が目地割れしてモルタル破片が発生すると、該モルタル破片が目地割れ部に噛み合って覆工板３の小ブロック３ａ群をフラットな状態に復帰させることが困難となるが、この可撓シート２の下では、上記第一貫通孔１３から当該モルタル破片を下地面１０方向に落下させ得るので、目地割れ部との噛み合いを解消して、小ブロック３ａ群をフラットな状態に復帰させることが可能となる。
【００３１】
更に、上記目地割れ部と可撓シート２間に雨水などが溜まっても、この第一貫通孔１３から下方に排水できるので、凍害などを有効に防止できると共に、成形時に、覆工材成形型８の開放面において可撓シート２の上面を硬化前の覆工板３の下面に押し付ける際に、両者間の空気が抜けないと、可撓シート２と覆工板３との間に空気溜まりができる恐れがあるが、これも、第一貫通孔１３から空気を逃がすだけで、空気溜まりを形成することなく、覆工板３の下面に可撓シート２を密着して貼り付けることが可能となる。
【００３２】
又、上記の第二貫通孔１４と第三貫通孔１５も、同様に、排水と空気抜きの機能を果たすものであるが、特に、第二貫通孔１４は目地溝７に沿った第一貫通孔１３の交差部に開設されているので、モルタル破片の落下にも寄与できる。
【産業上の利用可能性】
【００３３】
本発明に係る覆工材は、踏み圧などの歩行荷重に対する十分な緩衝効果が得られると共に、覆工材自体の必要な強度も保障できるので、これを建物のベランダやバルコニー等で使用すれば、頗る好都合なものとなる。
【符号の説明】
【００３４】
１    覆工材
２    可撓シート
３    覆工板
３´  硬化前覆工板の一部
３ａ  覆工板の小ブロック
４    アンカー
４ａ  アンカーの上端開口部
４ｂ  アンカーの下端開口部
４ｃ  アンカーのフランジ部
５    支持脚
５ａ  支持脚の基端開口部
５ｂ  支持脚の底壁
５ｃ  支持脚の筒壁
５ｄ  支持脚の底壁周縁
６    空気溜まり
７    目地溝
８    覆工材成形型
８ａ  覆工材成形型の底壁
９    目地溝成形用壁
１０  下地面
１１  空隙
１２  別のシート材
１３  第一貫通孔
１４  第二貫通孔
１５  第三貫通孔
【図１】
0005635064.tif 000002
【図２】
0005635064.tif 000003
【図３】
0005635064.tif 000004
【図４】
0005635064.tif 000005
【図５】
0005635064.tif 000006
【図６】
0005635064.tif 000007
【図７】
0005635064.tif 000008
【図８】
0005635064.tif 000009
【図９】
0005635064.tif 000010
【図１０】
0005635064.tif 000011
【図１１】
0005635064.tif 000012
【図１２】
0005635064.tif 000013
【図１３】
0005635064.tif 000014